(57)【要約】【課題】自動風呂熱回収運転と追い炊き予約の両方が同時に設定されている場合に、予約時刻までに追い炊き予約による追い焚きを完了できるようにする。【解決手段】操作部９０、９２を介して追い炊き予約と風呂熱回収運転の両方が有効に設定された場合、予約時刻までに追い炊き予約による追い焚きが完了するよう、追い炊き予約による追い焚きを開始する前の風呂熱回収運転を保留して制限する熱回収制限部を備えた。【選択図】図５
2018194204.tif 000002
【特許請求の範囲】
【請求項１】
浴槽（５１）に貯められた湯水とタンク（１１）内の湯水との熱交換を行う熱交換機（４２）を備えた貯湯式給湯装置であって、
予め設定された予約時刻までに前記熱交換機を用いて前記タンク内の湯水が有する熱で前記浴槽に貯められた湯水を追い焚きする追い炊き予約の有効または無効の設定を受け付けるとともに、前記熱交換機を用いて前記浴槽に貯められた湯水が有する熱を前記タンク内の湯水に回収させる風呂熱回収運転の有効または無効の設定を受け付ける操作部（９０、９２）と、
前記操作部を介して前記追い炊き予約と前記風呂熱回収運転の両方が有効に設定された場合、前記予約時刻までに前記追い炊き予約による前記追い焚きが完了するよう、前記追い炊き予約による前記追い焚きを開始する前の前記風呂熱回収運転を制限する熱回収制限部を備えた貯湯式給湯装置。
【請求項２】
前記熱回収制限部は、前記追い炊き予約による前記追い焚きを開始する前の前記風呂熱回収運転を保留する熱回収保留部（Ｓ１０２）を有している請求項１に記載の貯湯式給湯装置。
【請求項３】
前記熱回収制限部は、前記追い炊き予約による前記追い焚きが完了したか否かを判定する追い焚き完了判定部（Ｓ１０６）と、
前記追い焚き完了判定部により前記追い炊き予約による前記追い焚きが完了したと判定された場合、前記風呂熱回収運転の保留を解除して前記風呂熱回収運転を実施する熱回収実施部（Ｓ１０８）と、を備えた請求項２に記載の貯湯式給湯装置。
【請求項４】
表示部（９０１）を有し、
前記熱回収保留部は、前記表示部に前記風呂熱回収運転を保留する旨の表示を行う請求項２または３に記載の貯湯式給湯装置。
【請求項５】
前記熱回収制限部は、前記追い炊き予約による前記追い焚き開始前に前記風呂熱回収運転を実施することを想定したときの前記追い焚き開始時のタンク内の湯水の熱量（Ｑｔａｎｋ）と、前記追い焚き開始時から前記追い焚きを完了するまでに必要とされる前記タンク内の湯水の必要熱量（Ｑｏｄｋ）と、を特定する第１熱量特定部（Ｓ２０１）と、
前記第１熱量特定部により特定された前記追い焚き開始時のタンク内の湯水の熱量が前記必要熱量よりも多い場合には、前記追い炊き予約による前記追い焚きを開始する前であっても前記風呂熱回収運転を実施する第１熱回収実施部（Ｓ２０４）と、を備えた請求項１に記載の貯湯式給湯装置。
【請求項６】
前記熱回収制限部は、前記追い炊き予約による前記追い焚き開始前に前記風呂熱回収運転を実施することを想定したときの前記追い焚き開始時のタンク内の湯水の熱量（Ｑｔａｎｋ）と、前記追い焚き開始時から前記追い焚きを完了するまでに必要とされる前記タンク内の湯水の必要熱量（Ｑｏｄｋ）と、を特定する第２熱量特定部（Ｓ３００）と、
前記第２熱量特定部により特定された前記追い焚き開始時のタンク内の湯水の熱量が前記必要熱量を超過した場合には、前記追い炊き予約による前記追い焚きを開始する前であっても、前記必要熱量を超過した熱量を、前記風呂熱回収運転を実施して回収する第２熱回収実施部（Ｓ３０２、Ｓ３０４、Ｓ３０６）と、を備えた請求項１に記載の貯湯式給湯装置。
【請求項７】
前記熱回収制限部は、前記追い炊き予約による前記追い焚きが完了したか否かを判定する追い焚き完了判定部（Ｓ１０６）と、
前記追い焚き完了判定部により前記追い炊き予約による前記追い焚きが完了したと判定された場合、前記風呂熱回収運転を実施する熱回収実施部（Ｓ３０８）と、を備えた請求項５に記載の貯湯式給湯装置。
【請求項８】
前記熱回収制限部は、前記予約時刻までに前記追い炊き予約による前記追い焚きを完了させるために前記追い炊き予約による前記追い焚きの開始時刻を前倒しする前倒し時刻を算出する時刻算出部（Ｓ４００）と、
時刻が前記時刻算出部により算出された前記前倒し時刻になった場合、前記追い炊き予約による前記追い焚きを開始する追い炊き開始部（Ｓ４０４、Ｓ１０４）と、を備えた請求項１に記載の貯湯式給湯装置。
【請求項９】
前記タンク内の湯を沸き上げる沸き上げ運転を実施するヒートポンプユニット（１３）を備え、
前記時刻算出部は、前記追い炊き予約による追い焚き開始前に風呂熱回収運転を実施することを想定したときの追い焚き開始時の貯湯タンク内の湯水の熱量Ｑｔａｎｋと、前記追い焚き開始時から追い焚きを完了するまでに必要とされるタンク内の湯水の必要熱量Ｑｏｄｋと、前記ヒートポンプユニットによるタンク内の湯の単位時間当たりの沸き上げ熱量Δｑと、に基づいて前記前倒し時刻を算出する請求項８に記載の貯湯式給湯装置。
【発明の詳細な説明】
【技術分野】
【０００１】
本発明は、浴槽に貯められた湯水とタンク内の湯水との熱交換を行う熱交換機を備えた貯湯式給湯装置に関するものである。
【背景技術】
【０００２】
この種の装置として、特許文献１に記載されたものがある。この給湯装置は、補充される給湯水を下方部に貯めると共に、給湯水がヒートポンプユニットによって高温湯として生成され、この高温湯を貯める蓄熱タンクを備えている。この給湯装置は、さらに、浴槽に貯められた浴槽温水の温度を、ユーザーが設定する設定時間の間、加熱用熱交換器を用いて設定温度に保持する風呂保温運転と、低温湯を浴槽温水および熱回収用熱交換器を用いて加熱する自動風呂熱回収運転とを実行する制御装置と、を備えている。この制御装置は、ユーザ操作に応じて入力部から自動風呂熱回収運転を行わせるための実行信号が入力されると、風呂保温運転を終了した後、自動風呂熱回収運転を実行する。
【先行技術文献】
【特許文献】
【０００３】
【特許文献１】特許第５１９５３２６公報
【発明の概要】
【発明が解決しようとする課題】
【０００４】
このような給湯装置には、さらに、予め設定された予約時刻になると追い炊きを実行する追い炊き予約機能を備えたものがある。
【０００５】
しかし、上記自動風呂熱回収運転と追い炊き予約の両方が同時に設定されている場合、以下のような問題が発生する。すなわち、追い炊きが実行される前に自動風呂熱回収運転による風呂熱回収が実行されると、浴槽に貯められた湯水の温度を低下させてしまい、追い炊きのための加熱用熱交換器の負荷が高くなる。このため、浴槽温水の温度を目標温度に昇温させるまでの時間が長くなり、場合によっては予約時間までに追い炊きが完了しないといった問題が発生する。
【０００６】
本発明は上記問題に鑑みたもので、自動風呂熱回収運転と追い炊き予約の両方が同時に設定されている場合に、予約時刻までに追い炊き予約による追い焚きを完了できるようにすることを目的とする。
【課題を解決するための手段】
【０００７】
上記目的を達成するため、請求項１に記載の発明は、浴槽（５１）に貯められた湯水とタンク（１１）内の湯水との熱交換を行う熱交換機（４２）を備えた貯湯式給湯装置であって、予め設定された予約時刻までに熱交換機を用いてタンク内の湯水が有する熱で浴槽に貯められた湯水を追い焚きする追い炊き予約の有効または無効の設定を受け付けるとともに、熱交換機を用いて浴槽に貯められた湯水が有する熱をタンク内の湯水に回収させる風呂熱回収運転の有効または無効の設定を受け付ける操作部（９０、９２）と、操作部を介して追い炊き予約と風呂熱回収運転の両方が有効に設定された場合、予約時刻までに追い炊き予約による追い焚きが完了するよう、追い炊き予約による追い焚きを開始する前の風呂熱回収運転を制限する熱回収制限部を備えている。
【０００８】
このような構成によれば、操作部を介して追い炊き予約と風呂熱回収運転の両方が有効に設定された場合、熱回収制限部により、予約時刻までに追い炊き予約による追い焚きが完了するよう、追い炊き予約による追い焚きを開始する前の風呂熱回収運転が制限されるので、自動風呂熱回収運転と追い炊き予約の両方が同時に設定されている場合でも、予約時刻までに追い炊き予約による追い焚きを完了することができる。
【０００９】
なお、この欄および特許請求の範囲で記載した各手段の括弧内の符号は、後述する実施形態に記載の具体的手段との対応関係を示すものである。
【図面の簡単な説明】
【００１０】
【図１】第１実施形態の給湯装置の全体構成図である。
【図２】第１実施形態の給湯装置の台所リモコンの正面図である。
【図３】追い炊き予約の設定方法について説明するための図である。
【図４】追い焚き予約運転中のリモコンのメイン画面の表示例である。
【図５】第１実施形態の給湯制御部のフローチャートである。
【図６】第１実施形態の給湯装置の作動について説明するための図である。
【図７】第１実施形態の給湯装置の作動について説明するための図である。
【図８】第２実施形態の給湯制御部のフローチャートである。
【図９】第２実施形態の給湯装置の作動について説明するための図である。
【図１０】第３実施形態の給湯制御部のフローチャートである。
【図１１】第３実施形態の給湯装置の作動について説明するための図である。
【図１２】第４実施形態の給湯制御部のフローチャートである。
【図１３】第４実施形態の給湯装置の作動について説明するための図である。
【発明を実施するための形態】
【００１１】
以下、本発明の実施形態について図面を参照して説明する。なお、以下の各実施形態において、先行する実施形態で説明した事項と同一もしくは均等である部分には、同一の参照符号を付し、その説明を省略する場合がある。また、各実施形態において、構成要素の一部だけを説明している場合、構成要素の他の部分に関しては、先行する実施形態において説明した構成要素を適用することができる。
【００１２】
（第１実施形態）
図１に、本発明の第１実施形態に係る給湯装置１０の全体構成を示す。図１に示す給湯装置１０は、一般家庭用として使用される貯湯式給湯装置である。給湯装置１０は、貯湯タンク１１内に貯えられた蓄熱用流体を熱源として、台所・洗面所・浴室などへの給湯機能の他に、浴槽５１への湯張りおよび湯張りされた浴水を追い焚きする機能を有するものである。本実施形態では、蓄熱用流体として給湯側と同じ給湯用水を用いている。
【００１３】
給湯装置１０は、貯湯タンクユニット２０と、その貯湯タンクユニット２０の作動を制御する給湯制御部３８と、貯湯タンクユニット２０の熱源として機能するヒートポンプユニット１３と、そのヒートポンプユニット１３の作動を制御する熱源制御部４０と、台所に設置されるメインリモコンとしての台所リモコン９０と、浴室に設置される風呂リモコン９２とを含んで構成されている。
【００１４】
貯湯タンクユニット２０は、貯湯タンク１１、沸上回路１２、熱負荷回路１４、給水用配管１５、および給湯配管２７を含んで構成され、貯湯タンク１１内に湯を貯えると共にその湯の供給等を行う給湯ユニットである。貯湯タンク１１は、蓄熱用流体を内部に貯える。貯湯タンク１１は、給湯用の湯を蓄える容器であり、耐食性に優れた金属製、例えば、ステンレス製からなり、その外周部に断熱材が設けられ、給湯用の高温水を長時間に渡って保温することができる。貯湯タンク１１は縦長形状であり、その底面に導入口１１ａが設けられている。
【００１５】
貯湯タンク１１には、貯湯タンク１１内部の貯湯量および貯湯温度を検出するために高さ方向に７個並んだサーミスタからなる水温サーミスタ１１ｂが設けられている。各水位における貯湯タンク１１内に満たされた湯もしくは水の温度情報は、給湯制御部３８へ出力される。したがって、給湯制御部３８は、水温サーミスタ１１ｂからの温度情報に基づいて、貯湯タンク１１内上方の沸き上げられた湯と貯湯タンク１１内下方の沸き上げられる前の水との境界位置を検出できるとともに、これにより貯湯量が検出できるようになっている。
【００１６】
貯湯タンク１１の底面の導入口１１ａには貯湯タンク１１内に市水を供給する市水流入配管２１が接続されている。市水流入配管２１とつながっている市水配管２２には、導入される水道水の水圧が所定圧となるように調節するとともに、断水などにおける湯の逆流を防止する減圧弁２３が設けられている。この市水配管２２は、給水用配管１５を経由して、後述する風呂混合弁２４および給湯混合弁２５につながっている。
【００１７】
ヒートポンプユニット１３は、貯湯タンクユニット２０が供給する湯を沸かすための熱源として機能する熱源ユニットである。すなわち、ヒートポンプユニット１３は、入口配管３６から流れてくる蓄熱用流体を加熱して、出口配管３７に排出する加熱部である。
【００１８】
ヒートポンプユニット１３は、冷媒として臨界温度の低い二酸化炭素を使用するヒートポンプサイクルを有している。したがって、ヒートポンプユニット１３は、図示は省略するが、少なくとも圧縮機、放熱器としての水−冷媒熱交換器、可変式減圧器、蒸発器および気液分離器を有し、それらの機器が閉回路を構成するように接続されている。また、蒸発器の下流側には、蒸発器下流側の温度を検出する蒸発器温度サーミスタが設けられている。熱源制御部４０は、蒸発器温度サーミスタから検出情報を受け取るとともに、可変式減圧器や圧縮機の運転を制御している。
【００１９】
ヒートポンプユニット１３は、水−冷媒熱交換器の冷媒流路を流れる高温高圧の冷媒と、水−冷媒熱交換器の水流路を流れる水との間で熱交換を行うことにより、温水を沸き上げることができる。また、ヒートポンプユニット１３は、電気式エジェクタを用いたエジェクタ式サイクルで構成してもよい。
【００２０】
ヒートポンプユニット１３のヒートポンプサイクルを超臨界ヒートポンプで構成した場合、一般的なヒートポンプサイクルよりも高温、例えば、８５℃〜９０℃程度の湯を貯湯タンク１１内に蓄えることができる。そのヒートポンプサイクルは、主に、貯湯タンク１１内に貯まっている温水が不足しているときや料金設定の安価な深夜時間帯の深夜電力を利用して貯湯タンク１１内の湯を沸き上げる沸上げ給湯運転を行う。
【００２１】
沸上回路１２は、貯湯タンク１１の下部から蓄熱用流体を取出してヒートポンプユニット１３で加熱し、再び蓄熱用流体を貯湯タンク１１の上部に戻すための回路である。沸上回路１２は、貯湯タンク１１の下部とヒートポンプユニット１３の入口配管３６とを接続する沸上用往き配管３１、およびヒートポンプユニット１３の出口配管３７と貯湯タンク１１の上部とを接続する沸上用戻り配管３２を有している。また、ヒートポンプユニット１３は沸上用循環ポンプ３３を有しており、その沸上用循環ポンプ３３は、貯湯タンク１１の下部の蓄熱用流体を沸上用往き配管３１からヒートポンプユニット１３の入口配管３６、出口配管３７および沸上用戻り配管３２を経由して貯湯タンク１１の上部に戻す方向に循環させる。
【００２２】
また沸上用戻り配管３２には、バイパス弁３４が設けられている。バイパス弁３４には、沸上用戻り配管３２と貯湯タンク１１の下部とを接続するバイパス配管３５が設けられている。バイパス弁３４は、沸上用戻り配管３２を通過して貯湯タンク１１の上部に向かう流量と、バイパス配管３５を通過して貯湯タンク１１の下部に流れる流量との流量比を調節する。
【００２３】
熱負荷回路１４は、貯湯タンクユニット２０から湯が供給される風呂の浴槽５１に溜まった湯を追い焚きするため、貯湯タンク１１内の蓄熱用流体と浴槽５１の湯とを熱交換するための回路である。熱負荷回路１４は、取出配管４１、風呂熱交換器４２、取入配管４３、風呂１次ポンプ４４、風呂１次サーミスタ４５および風呂１次逆止弁４６を有している。取出配管４１は、貯湯タンク１１の上部と沸上用戻り配管３２とに接続されている。風呂熱交換器４２は、取出配管４１を通過した蓄熱用流体を風呂側（熱負荷側）と熱交換する。具体的には、風呂熱交換器４２は、貯湯タンク１１内の蓄熱用流体が流通する第１流通部４２ａと浴槽水が流通する第２流通部４２ｂとを備え、その第１流通部４２ａおよび第２流通部４２ｂは互いに隣接するように構成されている。そして、風呂熱交換器４２は、蓄熱用流体と浴槽水とが対向流となるように構成され、両者間で熱交換が行われる。
【００２４】
取入配管４３は、風呂熱交換器４２を通過した蓄熱用流体を貯湯タンク１１に戻す。風呂１次ポンプ４４は、貯湯タンク１１の蓄熱用流体を取出配管４１から風呂熱交換器４２と取入配管４３とを経由して貯湯タンク１１に戻す方向に循環させる熱負荷用循環ポンプである。風呂１次サーミスタ４５は、取出配管４１を通過する蓄熱用流体の温度を検出する。風呂１次逆止弁４６は、取入配管４３から第１流通部４２ａへの蓄熱流体の流れを阻止するように取入配管４３に設けられ、貯湯タンク１１内の蓄熱流体が風呂熱交換器４２と取入配管４３とを経由して貯湯タンク１１に対流することを防止する為に設けられる。
【００２５】
貯湯タンク１１の上部には、貯湯タンク１１内の高温水部の温水が流出して給湯使用側端末まで流れる給湯配管２７が設けられている。給湯配管２７は、シャワー５４、カラン、手洗い栓などに連通しており、途中で分岐する配管は風呂用配管２８であり、風呂の浴槽５１内に連通する配管である。
【００２６】
またこの給湯配管２７の配管途中には、逃がし弁５２が配設された排出配管５３が接続され、貯湯タンク１１内の圧力が所定圧以上に上昇した場合には、貯湯タンク１１内の温水を外部に排出して、貯湯タンク１１等に損害を与えないように構成されている。
【００２７】
貯湯タンク１１の下部には、水道水などの市水を取り入れる市水配管２２から分岐した市水流入配管２１が接続されている。給湯配管２７には、市水配管２２と連通する給水用配管１５が接続されている。
【００２８】
貯湯タンク１１内のほぼ中間部である中温水部は、貯湯タンク１１内に蓄えられた給湯用の温水のうち、中温水を導出するための中温水配管２９と連絡されている。給湯配管２７と中温水配管２９の合流部には、中温水混合弁３０が設けられている。中温水混合弁３０は、給湯用水の湯温を調節する温度調節弁であり、それぞれの開口面積比を調節することで、給湯配管２７から取り出した高温水と中温水配管２９から取り出した中温水との混合比を調節することができる。また中温水配管２９には、中温水逆止弁１７が設けられている。中温水逆止弁１７は、貯湯タンク１１の上部にある高温水が中温水混合弁３０を経由して貯湯タンク１１の中温水部へ逆流しないように設けられている。また、中温水混合弁３０と給湯混合弁２５の間には、中温水サーミスタ３９が設けられている。
【００２９】
中温水混合弁３０よりも下流部位には、給湯配管２７と分岐した風呂用配管２８とが接続されている。そして中温水混合弁３０の下流側の給湯配管２７には、給湯混合弁２５が設けられ、風呂用配管２８には風呂混合弁２４が設けられている。給湯混合弁２５は、給湯配管２７と給水用配管１５との合流部に設けられている。風呂混合弁２４は、風呂用配管２８と給水用配管１５との合流部に設けられている。給湯混合弁２５および風呂混合弁２４はそれぞれ、給湯配管２７、風呂用配管２８の末端で出湯する給湯用水の湯温を調節する温度調節弁である。これらは、それぞれの開口面積比、つまり、中温水混合弁３０で温度調節された給湯用水側の開度と市水配管２２に連通する水側の開度との比率を調節することによって、出湯する湯温を設定温度に調節する。
【００３０】
給湯混合弁２５の下流側の給湯配管２７には、給湯サーミスタ６１、給湯用流量カウンタ６２および給湯用逆止弁６３が設けられている。給湯サーミスタ６１は、給湯配管２７に流れる温水の温度を検出する。給湯用流量カウンタ６２は、給湯配管２７に流れる温水の流量を検出する。給湯用逆止弁６３は、給湯配管２７の末端のシャワー５４から給湯混合弁２５に逆流させないために設けられる。
【００３１】
風呂混合弁２４の下流側の風呂用配管２８には、風呂に注湯するための風呂注湯ユニット７０が設けられている。風呂注湯ユニット７０は、風呂用電磁弁７１、逆流防止弁７２、風呂サーミスタ７３、風呂用流量カウンタ７４、および２つの風呂用逆止弁７５を有している。風呂サーミスタ７３は、風呂用配管２８に流れる温水の温度を検出する。風呂用流量カウンタ７４は、風呂用配管２８に流れる温水の流量を検出する。２つの風呂用逆止弁７５は、浴水循環回路８０内の浴水を風呂混合弁２４へ逆流させないために設けられている。
【００３２】
２つの風呂用逆止弁７５間には、排出経路上流端を接続するとともに風呂混合弁２４下流側に導圧管を接続した逆流防止弁７２が設けられている。逆流防止弁７２は、給湯配管２７側に浸入しようとする浴水がある場合には、両接続点の圧力差に応じて逆流防止弁７２を作動させて風呂注湯ユニット７０の外部に排出できるようになっている。
【００３３】
風呂用電磁弁７１は、浴槽５１に湯張り・差し湯・足し湯をするときに開弁される。風呂用電磁弁７１は、風呂用流量カウンタ７４により検出された流量情報に基づいて所定の流量の混合湯が出湯されるように制御される。
【００３４】
給湯混合弁２５および風呂混合弁２４は、それぞれの出口側に設けられた各サーミスタ６１、７３によって検出される給湯用水の湯温に基づいてフィードバック制御が行われている。また各流量カウンタ６２、７４がそれぞれ給湯配管２７、風呂用配管２８内の水の流れを検出したときは、それぞれの配管の末端にある給湯水栓、シャワー５４または風呂用電磁弁７１が開弁されて給湯用水を出湯している状態である。
【００３５】
浴槽５１には、浴槽５１内の浴水を循環するための浴水循環回路８０が接続している。浴水循環回路８０は、貯湯タンク１１内の高温の湯を循環する熱負荷回路１４との間で熱交換するための風呂熱交換器４２に浴水を循環する。浴水循環回路８０は、浴槽５１内の浴水を風呂熱交換器４２の上流端に導く風呂戻り配管８１と、風呂熱交換器４２で熱交換された浴水を浴槽５１内に導く風呂往き配管８６とから構成されている。
【００３６】
風呂戻り配管８１には、上流側から順に、風呂水位センサ８２、風呂循環センサ８３、風呂循環サーミスタ８５および風呂循環ポンプ８４が設けられている。また風呂往き配管８６には、風呂追焚きサーミスタ８７が設けられている。
【００３７】
風呂水位センサ８２は、水位を示す物理値として風呂戻り配管８１内の水圧を検出する圧力式の水位センサであり、風呂水位センサ８２からの検出信号を受け取る給湯制御部３８は、風呂水位センサ８２が検出した圧力を水位に換算する。
【００３８】
風呂循環センサ８３は、風呂戻り配管８１の風呂熱交換器４２側に方向に浴水が流通しているか否かを検出するためのセンサである。風呂追焚きサーミスタ８７は、浴槽５１の浴水温度を検出する。風呂循環ポンプ８４は、浴槽５１の浴水を風呂戻り配管８１から風呂熱交換器４２と風呂往き配管８６とを経由して浴槽５１に戻す方向に循環させるポンプである。風呂熱交サーミスタ８７は風呂熱交換器４２の出口温度を検出する。また風呂用配管２８は、その下流端が風呂循環ポンプ８４と風呂熱交換器４２との間の風呂戻り配管８１に繋がれている。
【００３９】
給湯制御部３８は、マイクロコンピュータを主体として構成され、その給湯制御部３８が内蔵するＲＯＭ、ＲＡＭ、フラッシュメモリには、予め設定された制御プログラムや更新可能な制御プログラムが備えられている。熱源制御部４０の構成もこれと同様である。また、給湯制御部３８と熱源制御部４０とは互いに通信可能に接続されており、相互に通信することにより１つの制御部として機能する。
【００４０】
また、給湯制御部３８は、各サーミスタからの温度情報、各流量カウンタおよび流水スイッチからの流量情報、その他のセンサからの検出情報、および台所リモコン９０や風呂リモコン９２などの操作スイッチからの操作信号等に基づいて、各混合弁、電磁弁、切替弁、風呂循環ポンプ８４などのアクチュエータ類を制御する。また、熱源制御部４０は、例えば給湯制御部３８からの信号に基づいて、ヒートポンプユニット１３を制御する。台所リモコン９０や風呂リモコン９２などの操作スイッチは、ヒートポンプユニット１３、沸上用循環ポンプ３３および風呂１次ポンプ４４を操作するために用いられる。
【００４１】
次に、給湯装置１０の動作に関して説明する。まず、ヒートポンプユニット１３を利用した貯湯タンク１１への湯の貯湯動作について説明する。
【００４２】
特定の沸上時間帯として例えば時間帯別電灯制度の夜間時間帯において、ヒートポンプユニット１３を運転させる。ヒートポンプユニット１３の運転により、貯湯タンク１１の下部の水を所定の沸上温度に沸き上げて貯湯タンク１１の上部に戻し、貯湯タンク１１の上部側から予め設定された湯量または貯湯タンク１１の全量分の湯を貯湯する。
【００４３】
次に、給湯動作について説明する。給湯配管２７の下流側に配設される給湯栓等を開くことにより、給水圧力により貯湯タンク１１内の湯が押し出される。そして、貯湯タンク１１からの湯と市水流入配管２１からの水とが各混合弁２４、２５、３０で混合されると共に各配管を通じて給湯される。
【００４４】
次に、浴槽５１の利用について説明する。浴槽５１に湯張りする場合、風呂用電磁弁７１を開くことにより、給水圧力により貯湯タンク１１内の湯が押し出され、給湯配管２７を通じて貯湯タンク１１からの湯と市水流入配管２１から給水される水とを風呂混合弁２４で混合して湯張り設定温度の湯とする。そしてこの湯を供給し、浴水循環回路８０を通じて浴槽５１に給湯する。そして、浴槽５１に湯張りした後は、所定時間毎に、風呂循環ポンプ８４を作動させて浴槽５１の浴槽水を浴水循環回路８０内に循環させ、風呂循環サーミスタ８５で浴槽水の温度を検知し、保温の必要つまり追い焚き動作の必要があるか監視する。
【００４５】
浴槽水の温度が設定温度よりも低下した際には自動的に追い焚き動作し、また、リモコンなどの手動操作によっても追い焚き動作する。追い焚き動作では、まず、風呂循環ポンプ８４を運転させ、浴槽水を浴水循環回路８０内に取り込んで風呂熱交換器４２に循環させる。その状態で、風呂１次ポンプ４４を運転させることにより、貯湯タンク１１内の湯を、取出配管４１を通じて取り出して風呂熱交換器４２に送り込む。そして風呂熱交換器４２で貯湯タンク１１からの湯と浴槽５１からの浴槽水とで熱交換させ、この熱交換により温度上昇した浴槽水の温度が一定温度以上となるように、風呂１次ポンプ４４の回転数を増加減し浴槽５１に戻し、浴槽５１内の湯温を上昇させる。なお、取出配管４１に取り出す湯は、取出配管４１から取り出す貯湯タンク１１の上部の湯とヒートポンプユニット１３から直接供給される湯との混合比率を調整して取り出す。さらに、風呂熱交換器４２を通過して温度低下した貯湯タンク１１からの湯は、取入配管４３を通じて貯湯タンク１１に戻す。
【００４６】
次に、追い焚き予約について説明する。追い焚き予約運転は、予め設定された予約時刻に追い焚きが完了するよう、予約時刻より所定時間前になると開始される。
【００４７】
追い焚き予約運転では、給湯制御部３８が、風呂循環ポンプ８４を運転させ、浴槽水を浴水循環回路８０内に取り込んで風呂熱交換器４２に循環させる。その状態で、風呂１次ポンプ４４を運転させることにより、貯湯タンク１１内の湯を、取出配管４１を通じて取り出して風呂熱交換器４２に送り込む。そして風呂熱交換器４２で貯湯タンク１１からの湯と浴槽５１からの浴槽水とで熱交換させ、この熱交換により温度上昇した浴槽水の温度が一定温度以上となるように、風呂１次ポンプ４４の回転数を増加減し浴槽５１に戻し、浴槽５１内の湯温を上昇させる。なお、取出配管４１に取り出す湯は、取出配管４１から取り出す貯湯タンク１１の上部の湯とヒートポンプユニット１３から直接供給される湯との混合比率を調整して取り出す。さらに、風呂熱交換器４２を通過して温度低下した貯湯タンク１１からの湯は、取入配管４３を通じて貯湯タンク１１に戻す。
【００４８】
次に、風呂熱回収運転について説明する。風呂熱回収運転は、例えば、自動保温運転の昇温動作完了後、一定時間（例えば、３０分）が経過すると開始される。
【００４９】
風呂熱回収運転では、給湯制御部３８が、沸上用往き配管３１と沸上用戻り配管３２とを接続するようにバイパス弁３４の作動を制御するとともに、風呂１次ポンプ４４および風呂循環ポンプ８４を作動させる。
【００５０】
従って、風呂熱回収運転では、沸上用往き配管３１から流出した低温の給湯水が、バイパス配管３５、バイパス弁３４、および沸上用戻り配管３２を介して、風呂熱交換器４２の第１流通部４２ａへ流入する。また、風呂循環ポンプ８４から圧送された浴槽用湯が、第２流通部４２ｂへ流入する。
【００５１】
浴槽用熱交換器４２では、第１流通部４２ａを流通する低温の給湯水と第２流通部４２ｂを流通する浴槽用湯が熱交換して、給湯水の温度が上昇し、浴槽用湯の温度が低下する。
【００５２】
第１流通部４２ａから流出した給湯水は、風呂１次ポンプ４４に吸入されて、取入配管４３から貯湯タンク１１内へ流入する。これにより、浴槽用湯の有する熱が貯湯タンク１１内に回収される。第２流通部４２ｂから流出した浴槽用湯は、浴槽５１内へ戻る。
【００５３】
次に、各リモコン９０、９２について説明する。台所リモコン９０は、例えば台所に設置されて給湯制御部３８と電気的に通信可能に接続されている。すなわち、台所リモコン９０は、ヒートポンプユニット１３および貯湯タンクユニット２０を遠隔操作するための遠隔操作装置である。
【００５４】
図１〜図２に示すように、台所リモコン９０は、文字や図形を含む画像を表示する表示部としての表示パネル９０１と、操作者すなわちユーザによって操作される操作部９０２と、リモコン制御部９０ａ（図１参照）と、を備えている。表示パネル９０１は、例えばカラー表示可能な液晶表示パネルで構成されている。操作部９０２は、複数の押しボタン式の操作スイッチから構成されており、具体的には、操作部９０２は、ふろ自動ボタン９０２ａ、タンク湯増しボタン９０２ｂ、通話ボタン９０２ｃ、おこのみボタン９０２ｄ、選択ボタン９０２ｅ、決定ボタン９０２ｆ、および自動風呂熱回収ボタン９０２ｇを有している。
【００５５】
リモコン制御部９０ａは、例えば所定のプログラムに従って、操作部９０２からの操作信号を受け取ると共に表示パネル９０１へ制御信号を出力して表示パネル９０１に画像を表示させる。また、操作部９０２からの操作信号に基づいたヒートポンプユニット１３または貯湯タンクユニット２０の動作を指令する指令信号を給湯制御部３８に出力する。
【００５６】
また、風呂リモコン９２も上記の台所リモコン９０と同様の構成である。風呂リモコン９２は、リモコン制御部９０ａを備えている。また、風呂リモコン９２は、さらに、浴槽５１内の浴水を追い焚きするための追い焚きスイッチ等を備えている。
【００５７】
次に、追い炊き予約の設定方法について図３〜図４を用いて説明する。図３〜図４は、風呂リモコン９２の表示パネル９０１の表示例を表している。
【００５８】
ここでは、ユーザの風呂リモコン９２の操作に応じて、リモコン制御部９０ａにより、図３（ａ）に示す便利機能の設定画面が表示パネル９０１に表示されているものとする。この設定画面には、お風呂洗浄表示９００、終了表示９０１、追い焚き予約表示９０２のいずれかの選択が可能となっている。
【００５９】
ここで、ユーザの選択ボタン９０２ｅの操作により、追い焚き予約表示９１２が選択された後、決定ボタン９０２ｆが操作されると、図３（ｂ）に示す追い焚き予約の設定画面が表示パネル９０１に表示される。
【００６０】
追い焚き予約の設定を行う場合には、ユーザは、選択ボタン９０２ｅの操作により現在の設定で「入」を選択し、「追い焚き予約」の設定を行わない場合には、現在の設定で「切」を選択する。なお、「入」の表示は有効設定を、「切」の表示は無効設定を意味する。
【００６１】
ここで、現在の設定で「入」が選択されると、図３（ｃ）に示すように、予約時刻の設定画面が表示される。本実施形態では、予約時刻は、追い焚き予約開始時刻ではなく、追い焚き予約による追い焚きが完了する時刻となっている。したがって、設定された予約時刻よりも前に追い焚きが完了するよう追い焚き運転が行われる。
【００６２】
ここでは、予約時刻が、１８時００分に設定されている。予約時刻を変更する場合には、この画面で予約時刻を変更する。例えば、予約時刻を１９時２０分に変更する場合には、図３（ｄ）に示すように、予約時刻を１９時２０分に変更した後、決定ボタン９０２ｆを操作する。なお、このように予約時刻を変更すると、「設定しました」といった音声案内が音声出力される。
【００６３】
この音声案内が音声出力された後、所定時間（例えば、３秒）が経過すると、追い焚き予約中となり、図３（ｅ）に示すように、メイン画面中には、貯湯タンク１１内部の貯湯量９１３、給湯温度９１４、浴槽５１の浴水温度９１５とともに、追い焚き予約中であることを示す時計アイコンＴと「追」マークＯが表示される。また、メイン画面中の「ホット回収」は、風呂熱回収運転の設定が「入」になっていることを示している。
【００６４】
また、図３（ｂ）に示した追い焚き予約の設定画面において、現在の設定で「切」が選択された場合、図３（ｆ）に示すように、「追い焚き予約を解除しました」といったメッセージとともに、現在の設定を「切」とする表示が行われる。さらに、「追い焚き予約を解除しました」といったメッセージが音声出力される。この音声案内が音声出力された後、所定時間（例えば、３秒）が経過すると、メイン画面中の表示に切り替わる。
【００６５】
図４は、追い焚き予約運転中のメイン画面の表示例である。メイン画面には、貯湯タンク１１内部の貯湯量９１３、給湯温度９１４、浴槽５１の浴水温度９１５とともに、追い焚き中であることを示す追い焚き中アイコン９１６が画面右下に表示されている。
【００６６】
自動風呂熱回収運転の設定についても、風呂リモコン９０、９２の操作により、その設定または解除を行うことができるようになっている。例えば、風呂リモコン９０の自動風呂熱回収ボタン９０２ｇを操作する毎に、その設定または解除を切り替えることができるようになっている。
【００６７】
次に、本実施形態の給湯制御部３８の処理について図５を参照して説明する。図５に示すフローチャートは、給湯制御部３８が実施するメインルーチンに対するサブルーチンとして実施される。給湯装置１０に外部から電源が供給された状態で、例えば、リモコン９０、９２の操作部の少なくとも１つのスイッチが選択操作されると、給湯制御部３８は動作状態となり、図５に示す処理を定期的に実施する。なお、各図面のフローチャートにおける各制御ステップは、給湯制御部３８が有する各種の機能実現部を構成している。
【００６８】
まず、Ｓ１００にて、自動風呂熱回収運転と追い焚き予約の両方が有効に設定されているか否かを判定する。なお、自動風呂熱回収運転と追い焚き予約の設定については、自動風呂熱回収運転が有効にされたときに設定される設定フラグおよび追い焚き予約が有効にされたときに設定される設定フラグに基づいて判定することができる。
【００６９】
ここで、自動風呂熱回収運転と追い焚き予約が少なくとも一方が設定されていない場合、Ｓ１００の判定はＮＯとなり、本処理を終了する。
【００７０】
また、自動風呂熱回収運転と追い焚き予約の両方が有効に設定されている場合、Ｓ１０２にて、自動風呂熱回収運転を保留する。具体的には、追い炊き予約による追い炊きを実施する前の風呂熱回収運転を保留する。さらに、自動風呂熱回収運転を保留する旨を表示部としてのリモコン９０、９２の表示パネル９０１に表示させる。例えば、待機中といった表示アイコンをリモコン９０、９２の表示パネル９０１で点滅させる。
【００７１】
自動風呂熱回収運転が有効に設定されている場合、自動保温運転等の昇温動作完了後、一定時間（例えば、３０分）が経過すると風呂熱回収運転が開始されるようになっているが、この自動風呂熱回収運転を保留する。
【００７２】
次に、Ｓ１０４にて、追い焚き予約の開始時刻になると、追い焚き予約を開始する。なお、追い焚き予約の開始時刻は、追い焚き予約の予約時刻より所定時間（例えば、３０分）前となっている。
【００７３】
追い焚き予約では、給湯制御部３８は、風呂循環ポンプ８４を運転させ、浴槽水を浴水循環回路８０内に取り込んで風呂熱交換器４２に循環させる。その状態で、風呂１次ポンプ４４を運転させることにより、貯湯タンク１１内の湯を、取出配管４１を通じて取り出して風呂熱交換器４２に送り込む。そして風呂熱交換器４２で貯湯タンク１１からの湯と浴槽５１からの浴槽水とで熱交換させ、この熱交換により温度上昇した浴槽水の温度が一定温度以上となるように、風呂１次ポンプ４４の回転数を増加減し浴槽５１に戻し、浴槽５１内の湯温を上昇させる。
【００７４】
次に、Ｓ１０６にて、予約追い焚きが終了したか否かを判定する。具体的には、浴槽水の温度が一定温度以上となったか否かに基づいて追い焚き予約が終了したか否かを判定する。
【００７５】
ここで、浴槽水の温度が一定温度以上となっていない場合、Ｓ１０６の判定を繰り返し実施する。また、浴槽水の温度が一定温度以上となった場合には、Ｓ１０８へ進み、浴槽水の温度が一定温度以上となってから所定期間Ｔ（例えば、３０分）が経過すると、自動風呂熱回収運転に切り替え、自動風呂熱回収運転を実施する。すなわち、自動風呂熱回収運転の保留を解除して、自動風呂熱回収運転を実施する。この際、例えば、リモコン９０、９２の表示パネルで点滅させていた待機中といった表示アイコンを非表示とする。
【００７６】
風呂熱回収運転では、給湯制御部３８は、沸上用往き配管３１と沸上用戻り配管３２とを接続するようにバイパス弁３４の作動を制御するとともに、風呂１次ポンプ４４および風呂循環ポンプ８４を作動させる。
【００７７】
従って、風呂熱回収運転では、沸上用往き配管３１から流出した低温の給湯水が、バイパス配管３５、バイパス弁３４、および沸上用戻り配管３２を介して、風呂熱交換器４２の第１流通部４２ａへ流入する。また、風呂循環ポンプ８４から圧送された浴槽用湯が、第２流通部４２ｂへ流入する。
【００７８】
風呂熱交換器４２では、第１流通部４２ａを流通する低温の給湯水と第２流通部４２ｂを流通する浴槽用湯が熱交換して、給湯水の温度が上昇し、浴槽用湯の温度が低下する。
【００７９】
第１流通部４２ａから流出した給湯水は、風呂１次ポンプ４４に吸入されて、取入配管４３から貯湯タンク１１内へ流入する。これにより、浴槽用湯の有する熱が貯湯タンク１１内に回収される。第２流通部４２ｂから流出した浴槽用湯は、浴槽５１内へ戻る。
【００８０】
次に、本実施形態の給湯装置１０の作動について図６を参照して説明する。
【００８１】
まず、ユーザの各リモコン９０、９２の操作により自動風呂熱回収運転と追い焚き予約がそれぞれ有効に設定され、さらに、追い焚き予約の予約時刻が１時００分に設定される。
【００８２】
自動風呂熱回収運転と追い焚き予約が設定された状態で、ユーザがふろ自動ボタン９０２ａを操作すると、風呂自動運転が開始される。風呂自動運転では、自動湯張り運転を実施した後、自動保温運転を実施する。
【００８３】
自動湯張り運転では、貯湯タンク１１内上方の高温の給湯水と中間の中間温度の給湯水とが中温水混合弁３０にて混合される。さらに、中温水混合弁３０から流出した給湯水と水道水が風呂混合弁２４にて混合される。
【００８４】
そして、風呂混合弁２４から流出した給湯水は、浴槽用熱交換器４２の第２流通部４２ｂを介して、浴槽５１へ溜められる。自動湯張り運転では、風呂水位センサ８２によって検出された浴槽５１内の浴水の量が、予め定められた基準湯量となるまで継続される。
【００８５】
自動湯張り運転が終了すると、自動保温運転を実施する。自動保温運転では、風呂追焚きサーミスタ８７により検出された浴水の温度と目標湯温との温度差が所定温度ΔＴよりも大きくなる毎に、昇温動作を行う。具体的には、風呂追焚きサーミスタ８７により検出された浴水の温度を目標湯温に近づけるよう追い焚きする。
【００８６】
本実施形態では、自動保温運転による昇温動作後、一定期間（例えば、３０分）Ｔが経過すると、自動風呂熱回収運転を実施するようになっている。しかし、上記したように、自動風呂熱回収運転と追い焚き予約が両方設定されている場合には、自動風呂熱回収運転を保留する。
【００８７】
ここで、自動風呂熱回収運転を保留せずに自動風呂熱回収運転を実施する従来システムでは、自動保温運転による昇温動作後、一定期間Ｔが経過した後、浴槽５１内の浴槽用湯の温度は、図６中の一点鎖線で示すように、自動風呂熱回収により大きく低下する。したがって、自動風呂熱回収運転を終了した後、追い焚き予約を実施しても、追い焚き予約の予約時刻までに浴槽５１内の浴槽用湯の昇温を完了することができなくなる。
【００８８】
これに対し、本実施形態の係る給湯装置１０は、自動風呂熱回収運転と追い焚き予約が両方設定されている場合には、自動風呂熱回収運転を保留するので、自動保温運転による昇温動作後でも、浴槽５１内の浴槽用湯の温度低下は抑制される。したがって、追い焚き予約の予約時刻の所定時間前に追い焚き予約を開始することで、追い焚き予約の予約時刻までに浴槽５１内の浴槽用湯の昇温を完了することができる。
【００８９】
さらに、本実施形態の係る給湯装置１０は、図７に示すように、追い焚き予約を終了した後、一定時間Ｔ２が経過すると、風呂熱回収運転の保留が解除され風呂熱回収運転を実施する。これにより、浴槽用湯の有する熱が貯湯タンク１１内に回収される。
【００９０】
上述したように、本給湯装置１０は、浴槽５１に貯められた湯水とタンク１１内の湯水との熱交換を行う熱交換機４２を備えている。また、本給湯装置１０は、予め設定された予約時刻までに熱交換機を用いてタンク内の湯水が有する熱で浴槽に貯められた湯水を追い焚きする追い炊き予約の有効または無効の設定を受け付けるとともに、熱交換機を用いて浴槽に貯められた湯水が有する熱をタンク内の湯水に回収させる風呂熱回収運転の有効または無効の設定を受け付ける操作部９０、９２を備えている。さらに、操作部を介して追い炊き予約と風呂熱回収運転の両方が有効に設定された場合、予約時刻までに追い炊き予約による追い焚きが完了するよう、追い炊き予約による追い焚きを開始する前の風呂熱回収運転を制限する熱回収制限部Ｓ１００、Ｓ１０２を備えている。
【００９１】
このような構成によれば、操作部９０、９２を介して追い炊き予約と風呂熱回収運転の両方が有効に設定された場合、熱回収制限部Ｓ１００、Ｓ１０２により、予約時刻までに追い炊き予約による追い焚きが完了するよう、追い炊き予約による追い焚きを開始する前の風呂熱回収運転が制限されるので、自動風呂熱回収運転と追い炊き予約の両方が同時に設定されている場合でも、予約時刻までに追い炊き予約による追い焚きを完了することができる。
【００９２】
また、熱回収制限部は、Ｓ１０２にて、追い炊き予約による追い焚きを開始する前の風呂熱回収運転を保留する。このように、追い炊き予約による追い焚きを開始する前の風呂熱回収運転を保留することにより、予約時刻までに追い炊き予約による追い焚きを完了することができる。
【００９３】
また、熱回収制限部は、Ｓ１０６にて、追い炊き予約による追い焚きが完了したか否かを判定し、Ｓ１０８にて、追い炊き予約による追い焚きが完了したと判定された場合、風呂熱回収運転の保留を解除して風呂熱回収運転を実施するので、浴槽用湯の有する熱を貯湯タンク１１内に有効に回収することができる。
【００９４】
また、表示部９０１を有し、表示部９０１に風呂熱回収運転を保留する旨の表示を行うので、風呂熱回収運転を保留していることをユーザに認識させることができる。
【００９５】
（第２実施形態）
本発明の第２実施形態に係る給湯装置１０について図８〜図９を用いて説明する。上記第１実施形態の給湯装置１０は、自動風呂熱回収運転と追い焚き予約の両方が有効に設定されている場合、追い炊き予約による追い炊きを実施する前の風呂熱回収運転を保留するようにした。
【００９６】
これに対し、本実施形態の給湯装置１０は、自動風呂熱回収運転と追い焚き予約の両方が有効に設定されており、追い炊き予約による追い焚き開始前に風呂熱回収運転を実施することを想定したときの追い炊き予約による追い焚き開始時の貯湯タンク内の湯水の熱量が、追い炊き予約による追い焚きを完了する際に必要とされるタンク内の湯水の必要熱量よりも多い場合、追い炊き予約による追い焚きを開始する前であっても風呂熱回収運転を実施する。
【００９７】
この給湯制御部３８の処理について図８〜図９を用いて説明する。
【００９８】
給湯制御部３８は、まず、Ｓ１００にて、自動風呂熱回収運転と追い焚き予約の両方が有効に設定されているか否かを判定し、自動風呂熱回収運転と追い焚き予約の両方が有効に設定されていると判定された場合、次に、Ｓ１０２にて、自動風呂熱回収運転を保留する。
【００９９】
次に、Ｓ２００にて、自動風呂熱回収タイミングであるか否かを判定する。具体的には、自動保温運転等の昇温動作完了後、一定時間（例えば、３０分）が経過したか否かを判定する。
【０１００】
ここで、自動保温運転等の昇温動作完了後、一定時間が経過してない場合、Ｓ１００へ戻る。また、自動保温運転等の昇温動作完了後、一定時間が経過している場合、Ｓ２０１にて、追い焚き昇温開始時の貯湯タンク１１内の湯水の熱量Ｑｔａｎｋおよび追い焚き昇温開始時の浴槽５１の湯温Ｔｏｄｋを特定する。熱量Ｑｔａｎｋおよび湯温Ｔｏｄｋの特定は、以下の手順で行うことができる。
【０１０１】
まず、図９に示すように、追い焚き昇温開始時の貯湯タンク１１内の湯水の熱量Ｑｔａｎｋを特定する。給湯制御部３８のフラッシュメモリには、水温サーミスタ１１ｂからの温度情報に基づいて過去に特定した貯湯タンク１１内の湯水の熱量と時刻の関係を示すデータが蓄積されている。熱量Ｑｔａｎｋは、給湯制御部３８のフラッシュメモリに蓄積された過去のデータに基づいて追い焚き昇温開始時の貯湯タンク１１内の湯水の熱量Ｑｔａｎｋを特定する。
【０１０２】
次に、追い炊き予約による追い焚き昇温開始時の浴槽５１の湯温Ｔｏｄｋを算出する。この湯温Ｔｏｄｋは、風呂熱回収終了時の浴槽５１の湯温Ｔｈｏｔ２、自動湯張り完了から初回の自動保温までに低下する浴槽５１の湯温ΔＴ、自動湯張り完了から初回の自動保温までの時間ｔ１、風呂熱回収終了時から自動追い焚きにより追い焚きの開始時までの時間ｔ３を用いて、Ｔｏｄｋ＝Ｔｈｏｔ２−（ΔＴ／ｔ１）×ｔ３として算出することができる。
【０１０３】
なお、風呂熱回収終了時の浴槽５１の湯温Ｔｈｏｔ２は、風呂熱回収開始時の浴槽５１の湯温Ｔｈｏｔ１、市水流入配管２１から給水される水の平均給水温度ＴＨＷＡを用いて、Ｔｈｏｔ２＝（Ｔｈｏｔ１＋ＴＨＷＡ）／２として算出することができる。
【０１０４】
また、風呂熱回収開始時の浴槽５１の湯温Ｔｈｏｔ１は、浴槽５１の湯温の目標値である風呂目標温度Ｔｂ、自動保温運転の最終保温停止時から風呂熱回収開始までの時間をｔ２を用いて、Ｔｈｏｔ１＝Ｔｂ−（ΔＴ／ｔ１）×ｔ２として算出することができる。
【０１０５】
次に、風呂熱回収後に実施する予約追い焚きで消費される熱量Ｑｏｄｋを算出する。この熱量Ｑｏｄｋは、浴槽５１の湯温の設定値である風呂設定湯量Ｌｂｓを用いて、Ｑｏｄｋ＝（Ｔｂ−ＭＡＸ（ＴＨＷＡ，Ｔｏｄｋ）×Ｋｂｓとして算出することができる。なお、ＭＡＸ（ＴＨＷＡ，Ｔｏｄｋ）は、ＴＨＷＡとＴｏｄｋの最大値を意味する。このようにして、熱量Ｑｔａｎｋおよび湯温Ｔｏｄｋを特定する。
【０１０６】
次のＳ２０２では、予約時刻までに追い炊き予約による追い焚きが完了するよう、追い炊き予約による追い焚きを開始する前に風呂熱回収を実施できるか否かを判定する。具体的には、Ｑｔａｎｋ＞Ｔｏｄｋであるか否かに基づいて風呂熱回収を実施できるか否かを判定する。
【０１０７】
ここで、Ｑｔａｎｋ＞Ｔｏｄｋとなっている場合、Ｓ２０４にて、自動風呂熱回収の保留を解除して、自動風呂熱回収運転を実施する。
【０１０８】
次のＳ２０６では、自動風呂熱回収運転が完了したか否かを判定し、自動風呂熱回収運転が完了していなければ、Ｓ２０６へ戻る。また、自動風呂熱回収運転が完了している場合には、Ｓ１０４にて、追い焚き予約の開始時刻になると、追い焚き予約による追い焚きを開始する。
【０１０９】
次のＳ１０６では、追い焚き予約による追い焚きが終了したか否かを判定し、追い焚き予約による追い焚きが終了していなければＳ１０６へ戻る。また、追い焚き予約による追い焚きが終了していなければ本処理を終了する。
【０１１０】
なお、Ｓ２０２の判定で、Ｑｔａｎｋ≦Ｔｏｄｋとなっている場合には、Ｓ２０４へ進むことなく、Ｓ１０４へ進み、追い焚き予約の開始時刻になると、追い焚き予約を開始する。すなわち、追い焚き予約の開始前に、自動風呂熱回収運転は実施されない。
【０１１１】
本実施形態では、上記第１実施形態と共通の構成から奏される同様の効果を上記第１実施形態と同様に得ることができる。
【０１１２】
また、熱回収制限部は、追い炊き予約による追い焚き開始前に風呂熱回収運転を実施することを想定したときの追い焚き開始時の貯湯タンク内の湯水の熱量Ｑｔａｎｋと、追い焚き開始時から追い焚きを完了するまでに必要とされるタンク内の湯水の必要熱量Ｑｏｄｋと、を特定している、さらに、追い焚き開始時の貯湯タンク内の湯水の熱量が必要熱量よりも多い場合には、追い炊き予約による追い焚きを開始する前であっても風呂熱回収運転を実施する。
【０１１３】
したがって、予約時刻までに追い炊き予約による追い焚きを完了することができるだけでなく、追い炊き予約による追い焚き開始前に風呂熱回収運転を実施して浴槽用湯の有する熱を貯湯タンク１１内に回収することもできる。
【０１１４】
（第３実施形態）
本発明の第３実施形態に係る給湯装置１０について図１０〜図１１を用いて説明する。本実施形態の給湯装置１０は、自動風呂熱回収運転と追い焚き予約の両方が有効に設定されており、追い炊き予約による追い焚き開始前に風呂熱回収運転を実施することを想定したときの追い焚き開始時の貯湯タンク内の湯水の熱量Ｑｔａｎｋが、追い焚きを完了する際に必要とされるタンク内の湯水の必要熱量Ｑｏｄｋを超過した場合、この超過した熱量を回収可能熱量として、追い炊き予約による追い焚きの前に、風呂熱回収運転を実施して回収する。
【０１１５】
この給湯制御部３８の処理について図１０〜図１１を用いて説明する。
【０１１６】
Ｓ１００〜Ｓ２００処理は、上記第２実施形態と同じである。給湯制御部３８は、Ｓ２００の判定で、自動保温運転等の昇温動作完了後、一定時間が経過している場合、Ｓ３００にて、熱量計算を行う。具体的には、追い焚き昇温開始時の貯湯タンク１１内の湯水の熱量Ｑｔａｎｋおよび追い焚き昇温開始時の浴槽５１の湯温Ｔｏｄｋを特定する。熱量Ｑｔａｎｋおよび湯温Ｔｏｄｋの特定は、上記したＳ２０１の処理と同様に行うことができる。
【０１１７】
ここでは、さらに、熱量Ｑｔａｎｋ＝必要熱量Ｑｏｄｋとなる追い焚き昇温時の浴槽温度Ｔｈｏｔ２を算出する。この浴槽温度Ｔｈｏｔ２は、浴槽５１の湯温の目標値である風呂目標温度Ｔｂ、自動湯張り完了から初回の自動保温までに低下する浴槽５１の湯温ΔＴ、自動湯張り完了から初回の自動保温までの時間ｔ１、風呂熱回収終了時から自動追い焚きにより追い焚きの開始時までの時間ｔ３を用いて、Ｔｈｏｔ２＝Ｔｂ＋ΔＴ／ｔ１×ｔ３−Ｑｔａｎｋ／Ｌｂとして算出することができる。
【０１１８】
次のＳ３０２では、自動風呂熱回収を実施し、Ｓ３０４では、風呂戻り温度、すなわち浴槽５１の湯温が浴槽温度Ｔｈｏｔ２より高くなったか否かを判定する。浴槽５１の湯温は、風呂循環サーミスタ８５により検出された浴槽５１の湯温を用いることができる。
【０１１９】
ここで、浴槽５１の湯温が浴槽温度Ｔｈｏｔ２未満の場合、Ｓ３０２へ戻る。また、浴槽５１の湯温が浴槽温度Ｔｈｏｔ２より高くなった場合、Ｓ３０６にて、自動風呂熱回収運転を停止する。
【０１２０】
このように、追い炊き予約による追い焚き開始前に風呂熱回収運転を実施することを想定したときの追い炊き予約による追い焚き開始時の貯湯タンク内の湯水の熱量Ｑｔａｎｋが必要熱量Ｑｏｄｋを超過した回収可能熱量として、追い炊き予約による追い焚きの前に、風呂熱回収運転を実施して回収される。
【０１２１】
そして、Ｓ１０４にて、追い焚き予約の開始時刻になると、追い焚き予約を開始する。次のＳ１０６では、追い焚き予約による追い焚きが終了したか否かを判定し、追い焚き予約による追い焚きが終了していなければＳ１０６へ戻る。また、追い焚き予約による追い焚きが終了した場合には、Ｓ３０８にて、再度、自動風呂熱回収を実施し、自動風呂熱回収運転が終了すると、本処理を終了する。
【０１２２】
本実施形態では、上記第１実施形態と共通の構成から奏される同様の効果を上記第１実施形態と同様に得ることができる。
【０１２３】
また、熱回収制限部は、追い炊き予約による追い焚き開始前に風呂熱回収運転を実施することを想定したときの追い焚き開始時の貯湯タンク内の湯水の熱量Ｑｔａｎｋと、追い焚き開始時から追い焚きを完了するまでに必要とされるタンク内の湯水の必要熱量Ｑｏｄｋと、を特定する。
【０１２４】
さらに、追い焚き開始時の貯湯タンク内の湯水の熱量が必要熱量を超過した場合には、追い炊き予約による追い焚きを開始する前であっても、必要熱量を超過した熱量を、風呂熱回収運転を実施して回収する。
【０１２５】
したがって、予約時刻までに追い炊き予約による追い焚きを完了することができるだけでなく、追い炊き予約による追い焚きを開始する前であっても、必要熱量を超過した熱量を、風呂熱回収運転を実施して回収することができる。
【０１２６】
また、熱回収制限部は、追い炊き予約による追い焚きが完了したか否かを判定し、追い炊き予約による追い焚きが完了したと判定された場合、風呂熱回収運転を実施する。
【０１２７】
このように、追い炊き予約による追い焚きが完了したと判定された場合、風呂熱回収運転を実施して浴槽用湯の有する熱を貯湯タンク１１内に回収することもできる。
【０１２８】
（第４実施形態）
本発明の第４実施形態に係る給湯装置１０について図１２〜図１３を用いて説明する。本実施形態の給湯装置１０は、自動風呂熱回収運転と追い焚き予約の両方が有効に設定されており、予約時刻までに追い炊き予約による追い焚きを完了させるために追い炊き予約による追い焚きの開始時刻を前倒しする前倒し時刻を算出し、時刻がこの前倒し時刻になった場合、追い炊き予約による追い焚きを開始する。
【０１２９】
この給湯制御部３８の処理について図１２〜図１３を用いて説明する。
【０１３０】
給湯制御部３８は、まず、Ｓ１００にて、自動風呂熱回収運転と追い焚き予約の両方が有効に設定されているか否かを判定し、自動風呂熱回収運転と追い焚き予約の両方が有効に設定されていると判定された場合、次に、Ｓ１０２にて、自動風呂熱回収運転を保留する。
【０１３１】
次に、Ｓ２００にて、自動風呂熱回収タイミングであるか否かを判定する。具体的には、自動保温運転等の昇温動作完了後、一定時間（例えば、３０分）が経過したか否かを判定する。
【０１３２】
ここで、自動保温運転等の昇温動作完了後、一定時間が経過してない場合、Ｓ１００へ戻る。また、自動保温運転等の昇温動作完了後、一定時間が経過している場合、Ｓ４００にて、追い炊き予約による追い焚きの開始時刻を前倒しする前倒し時刻を算出する。前倒し時刻の算出は、以下の手順で行うことができる。
【０１３３】
まず、追い焚き昇温開始時の貯湯タンク１１内の湯水の熱量Ｑｔａｎｋおよび風呂熱回収後に実施する予約追い焚きで消費される熱量Ｑｏｄｋを特定する。熱量Ｑｔａｎｋおよび熱量Ｑｏｄｋは、Ｓ２０１と同様に特定することができる。
【０１３４】
次に、熱量Ｑｔａｎｋと熱量Ｑｏｄｋの差分を、通常の追い焚き昇温時間では不足する不足熱量Ｑｆｕｓｏｋｕとして算出する。すなわち、不足熱量Ｑｆｕｓｏｋｕは、Ｑｆｕｓｏｋｕ＝Ｑｔａｎｋ−Ｑｏｄｋとして算出する。
【０１３５】
次に、ヒートポンプユニット１３による貯湯タンク１１内の湯の単位時間当たりの沸き上げ熱量Δｑを特定する。この単位時間当たりの沸き上げ熱量Δｑは、ヒートポンプユニット１３の能力、貯湯タンク１１内の湯の湯温、沸き上げ温度等によって変化する。本実施形態では、実験的に求められた単位時間当たりの沸き上げ熱量Δｑを用いる。
【０１３６】
次に、通常の追い焚き予約による追い焚きの開示開始時刻よりも前倒しする前倒し時刻ｔ４を算出する。本実施形態では、前倒し時刻ｔ４を、ｔ４＝Ｑｆｕｓｏｋｕ／Δｑとして算出する。このようにして、追い焚き予約による追い焚きの倒し時刻ｔ４が決定される。
【０１３７】
次のＳ２０４では、自動風呂熱回収の保留を解除して、自動風呂熱回収運転を実施する。さらに、Ｓ２０６では、自動風呂熱回収運転が完了したか否かを判定し、自動風呂熱回収運転が完了していなければ、Ｓ２０６へ戻る。また、自動風呂熱回収運転が完了している場合には、Ｓ４０４にて、時刻が、追い焚き追い焚き予約による追い焚きの倒し時刻ｔ４になったか否かを判定する。ここで、時刻が、追い焚き追い焚き予約による追い焚きの倒し時刻ｔ４になっていない場合、Ｓ４０４の処理を繰り返す。
【０１３８】
また、時刻が、追い焚き追い焚き予約による追い焚きの倒し時刻ｔ４になっている場合、Ｓ１０４にて、追い焚き予約による追い焚きを開始する。
【０１３９】
ここで、貯湯タンク１１内の湯水が不足しているときには、ヒートポンプサイクルによる貯湯タンク１１内の湯を沸き上げる沸上げ給湯運転が実施される。したがって、この貯湯タンク１１内の湯を利用して追い焚きが実施される。なお、貯湯タンク１１内の湯水が不足しているときには、ヒートポンプサイクルによる貯湯タンク１１内の湯を沸き上げる沸上げ給湯運転は実施されない。
【０１４０】
次のＳ１０６では、追い焚き予約による追い焚きが終了したか否かを判定し、追い焚き予約による追い焚きが終了していなければＳ１０６へ戻る。また、追い焚き予約による追い焚きが終了していなければ本処理を終了する。
【０１４１】
本実施形態では、上記第１実施形態と共通の構成から奏される同様の効果を上記第１実施形態と同様に得ることができる。
【０１４２】
また、熱回収制限部は、予約時刻までに追い炊き予約による追い焚きを完了させるために追い炊き予約による追い焚きの開始時刻を前倒しする前倒し時刻を算出し、時刻が前倒し時刻になった場合、追い炊き予約による追い焚きを開始する。
【０１４３】
追い炊きが実行される前に自動風呂熱回収運転による風呂熱回収を実行すると、浴槽に貯められた湯水の温度を低下させてしまい、追い炊きのための熱回収用熱交換器の負荷が高くなる。このため、浴槽温水の温度を目標温度に昇温させるまでの時間が長くなり、場合によっては予約時間までに追い炊きが完了しないといった問題が発生するが、前倒し時刻を算出し、時刻が前倒し時刻になった場合、追い炊き予約による追い焚きを開始するので、予約時間までに追い炊きを完了させることが可能である。
【０１４４】
また、タンク内の湯を沸き上げる沸き上げ運転を実施するヒートポンプユニット１３を備え、時刻算出部は、追い炊き予約による追い焚き開始前に風呂熱回収運転を実施することを想定したときの追い焚き開始時の貯湯タンク内の湯水の熱量Ｑｔａｎｋと、追い焚き開始時から追い焚きを完了するまでに必要とされるタンク内の湯水の必要熱量Ｑｏｄｋと、ヒートポンプユニットによるタンク内の湯の単位時間当たりの沸き上げ熱量Δｑと、に基づいて前倒し時刻を算出する。
【０１４５】
したがって、ヒートポンプユニットによるタンク内の湯を沸き上げる沸き上げを実施しながら、追い焚きを実施することが可能であり、追い焚き開始時にタンク内の湯が少ない場合でも、予約時刻までに追い焚きを完了することが可能である。
【０１４６】
なお、上記実施形態における構成と特許請求の範囲の構成との対応関係について説明すると、Ｓ１００、Ｓ１０２、Ｓ１０６、Ｓ１０４、Ｓ１０８、Ｓ２０１、Ｓ２０４、Ｓ３００、Ｓ３０２、Ｓ３０４、Ｓ３０６、Ｓ３０８、Ｓ４００、Ｓ４０４の処理が熱回収制限部に相当する。また、Ｓ１０２の処理が熱回収保留部に相当し、Ｓ１０６の処理が追い焚き完了判定部に相当し、Ｓ１０８の処理が熱回収実施部に相当し、Ｓ２０１の処理が第１熱量特定部に相当する。また、Ｓ２０４の処理が第１熱回収実施部に相当し、Ｓ３００の処理が第２熱量特定部に相当し、Ｓ３０２、Ｓ３０４、Ｓ３０６の処理が第２熱回収実施部に相当し、Ｓ３０８の処理が熱回収実施部に相当し、Ｓ４００の処理が時刻算出部に相当し、Ｓ４０４、Ｓ１０４の処理が追い炊き開始部に相当する。
【０１４７】
（他の実施形態）
（１）上記第４実施形態では、追い焚き昇温開始時の貯湯タンク１１内の湯水の熱量Ｑｔａｎｋと、風呂熱回収後に実施する予約追い焚きで消費される熱量Ｑｏｄｋと、ヒートポンプユニット１３による貯湯タンク１１内の湯の単位時間当たりの沸き上げ熱量Δｑと、に基づいて前倒し時刻ｔ４を算出した。
【０１４８】
これに対し、ヒートポンプサイクルによる貯湯タンク１１内の湯を沸き上げる沸上げ給湯運転を実施する必要がない場合には、例えば、前倒し時刻ｔ４を一定時間（例えば、３０分）としてもよい。
【０１４９】
追い炊きが実行される前に自動風呂熱回収運転による風呂熱回収を実行すると、浴槽に貯められた湯水の温度を低下させてしまい、追い炊きのための熱回収用熱交換器の負荷が高くなる。このため、浴槽温水の温度を目標温度に昇温させるまでの時間が長くなり、場合によっては予約時間までに追い炊きが完了しないといった問題が発生するが、前倒し時刻ｔ４を一定時間とするだけでも、予約時間までに追い炊きを完了させることが可能である。
【０１５０】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１５１】
（まとめ）
上記各実施形態の一部または全部で示された第１の観点によれば、浴槽に貯められた湯水とタンク内の湯水との熱交換を行う熱交換機を備えた貯湯式給湯装置であって、予め設定された予約時刻までに熱交換機を用いてタンク内の湯水が有する熱で浴槽に貯められた湯水を追い焚きする追い炊き予約の有効または無効の設定を受け付けるとともに、熱交換機を用いて浴槽に貯められた湯水が有する熱をタンク内の湯水に回収させる風呂熱回収運転の有効または無効の設定を受け付ける操作部を備えている。さらに、操作部を介して追い炊き予約と風呂熱回収運転の両方が有効に設定された場合、予約時刻までに追い炊き予約による追い焚きが完了するよう、追い炊き予約による追い焚きを開始する前の風呂熱回収運転を制限する熱回収制限部を備えている。
【０１５２】
また、第２の観点によれば、熱回収制限部は、追い炊き予約による追い焚きを開始する前の風呂熱回収運転を保留する熱回収保留部を有している。このように、追い炊き予約による追い焚きを開始する前の風呂熱回収運転を保留することにより、予約時刻までに追い炊き予約による追い焚きを完了することができる。
【０１５３】
また、第３の観点によれば、熱回収制限部は、追い炊き予約による追い焚きが完了したか否かを判定する追い焚き完了判定部を備えている。さらに、追い焚き完了判定部により追い炊き予約による追い焚きが完了したと判定された場合、風呂熱回収運転の保留を解除して風呂熱回収運転を実施する熱回収実施部を備えている。
【０１５４】
このように、追い炊き予約による追い焚きが完了したと判定された場合、風呂熱回収運転の保留を解除して風呂熱回収運転を実施するので、浴槽内の湯の有する熱をタンク内に有効に回収することができる。
【０１５５】
また、第４の観点によれば、表示部を有し、熱回収保留部は、表示部に風呂熱回収運転を保留する旨の表示を行う。したがって、風呂熱回収運転を保留していることをユーザに認識させることができる。
【０１５６】
また、第５の観点によれば、熱回収制限部は、追い炊き予約による追い焚き開始前に風呂熱回収運転を実施することを想定したときの追い焚き開始時のタンク内の湯水の熱量と、追い焚き開始時から追い焚きを完了するまでに必要とされるタンク内の湯水の必要熱量と、を特定する第１熱量特定部を備えている。
【０１５７】
また、第１熱量特定部により特定された追い焚き開始時のタンク内の湯水の熱量が必要熱量よりも多い場合には、追い炊き予約による追い焚きを開始する前であっても風呂熱回収運転を実施する第１熱回収実施部を備えている。
【０１５８】
したがって、予約時刻までに追い炊き予約による追い焚きを完了することができるだけでなく、追い炊き予約による追い焚き開始前に風呂熱回収運転を実施して浴槽内の湯の有する熱をタンク内に回収することもできる。
【０１５９】
また、第６の観点によれば、熱回収制限部は、追い炊き予約による追い焚き開始前に風呂熱回収運転を実施することを想定したときの追い焚き開始時のタンク内の湯水の熱量と、追い焚き開始時から追い焚きを完了するまでに必要とされるタンク内の湯水の必要熱量と、を特定する第２熱量特定部を備えている。
【０１６０】
さらに、第２熱量特定部により特定された追い焚き開始時のタンク内の湯水の熱量が必要熱量を超過した場合には、追い炊き予約による追い焚きを開始する前であっても、必要熱量を超過した熱量を、風呂熱回収運転を実施して回収する第２熱回収実施部を備えている。
【０１６１】
したがって、予約時刻までに追い炊き予約による追い焚きを完了することができるだけでなく、追い炊き予約による追い焚きを開始する前であっても、必要熱量を超過した熱量を、風呂熱回収運転を実施して回収することができる。
【０１６２】
また、第７の観点によれば、熱回収制限部は、追い炊き予約による追い焚きが完了したか否かを判定する追い焚き完了判定部を備えている、さらに、追い焚き完了判定部により追い炊き予約による追い焚きが完了したと判定された場合、風呂熱回収運転を実施する熱回収実施部を備えている。
【０１６３】
したがって、予約時刻までに追い炊き予約による追い焚きを完了することができるだけでなく、追い炊き予約による追い焚きを開始する前であっても、必要熱量を超過した熱量を、風呂熱回収運転を実施して回収することができる。
【０１６４】
また、第８の観点によれば、熱回収制限部は、予約時刻までに追い炊き予約による追い焚きを完了させるために追い炊き予約による追い焚きの開始時刻を前倒しする前倒し時刻を算出する時刻算出部を備えている。
【０１６５】
さらに、時刻が時刻算出部により算出された前倒し時刻になった場合、追い炊き予約による追い焚きを開始する追い炊き開始部と、を備えている。
【０１６６】
このように、追い炊き予約による追い焚きが完了したと判定された場合、風呂熱回収運転を実施して浴槽内の湯の有する熱をタンク内に回収することもできる。
【０１６７】
また、第９の観点によれば、タンク内の湯を沸き上げる沸き上げ運転を実施するヒートポンプユニットを備え、前記時刻算出部は、前記追い炊き予約による追い焚き開始前に風呂熱回収運転を実施することを想定したときの追い焚き開始時の貯湯タンク内の湯水の熱量と、前記追い焚き開始時から追い焚きを完了するまでに必要とされるタンク内の湯水の必要熱量と、前記ヒートポンプユニットによるタンク内の湯の単位時間当たりの沸き上げ熱量と、に基づいて前倒し時刻を算出する。
【０１６８】
したがって、ヒートポンプユニットによるタンク内の湯を沸き上げる沸き上げを実施しながら、追い焚きを実施することが可能であり、追い焚き開始時にタンク内の湯が少ない場合でも、予約時刻までに追い焚きを完了することが可能である。
【符号の説明】
【０１６９】
１０        給湯装置
１１        貯湯タンク
１２        沸上回路
１３        ヒートポンプユニット
２０        貯湯タンクユニット
４０        熱制御部
５１        浴槽
９０、９２  風呂リモコン
【図１】
2018194204.tif 000003
【図２】
2018194204.tif 000004
【図３】
2018194204.tif 000005
【図４】
2018194204.tif 000006
【図５】
2018194204.tif 000007
【図６】
2018194204.tif 000008
【図７】
2018194204.tif 000009
【図８】
2018194204.tif 000010
【図９】
2018194204.tif 000011
【図１０】
2018194204.tif 000012
【図１１】
2018194204.tif 000013
【図１２】
2018194204.tif 000014
【図１３】
2018194204.tif 000015